(57)【要約】【課題】簡単な構造で磁気効果と遠赤外線効果の両方を高めることができ、また、製造コストを低減し、量産化に最適の装置を提供する。【解決手段】略円盤状に形成された遠赤外線放射体２と、この遠赤外線放射体の中央部に埋め込まれた永久磁石３とからなり、前記永久磁石の一方の面３ａは外部に露出し、他方の面３ｂは遠赤外線放射体２の薄層で被覆されるように構成され、前記一方の面３ａを粘着テープに接着固定し、前記他方の面３ｂを人体に貼り付ける構造。【選択図】図１
2005027922.tif 000002
【特許請求の範囲】
【請求項１】
略円盤状に形成された遠赤外線放射体と、この遠赤外線放射体の中央部に埋め込まれた永久磁石とからなり、前記永久磁石の一方の面は外部に露出し、他方の面は遠赤外線放射体の薄層で被覆されるように構成され、前記一方の面を粘着テープに接着固定し、前記他方の面を人体に貼り付けることを特徴とする磁気治療器。
【請求項２】
遠赤外線放射体の内部に永久磁石が埋め込まれた磁気治療器を製造する製造装置であって、円筒シリンダ状の雌型治具が形成された成形台と、前記雌型治具内に摺動自在に嵌合されたピストンと、ピストンの中央部に設けられた永久磁石と、前記雌型治具内に磁気治療器の永久磁石を供給する磁石供給装置と、前記雌型治具内に遠赤外線放射体の材料を充填する材料充填装置と、前記雌型治具の上方に対向して摺動自在に配置された雄型治具とを備えたことを特徴とする遠赤外線を放射する磁気治療器の製造装置。
【請求項３】
雌型治具内のピストン上に磁気治療器の永久磁石を位置決めする工程と、雌型治具内に遠赤外線放射体の材料を充填する工程と、雄型治具を下降させて雌型治具に嵌合させ前記材料を圧縮成型する工程と、ピストンを上昇させ圧縮された成型物を取り外し焼成炉に搬送する工程とを備えることを特徴とする請求項２記載の遠赤外線を放射する磁気治療器の製造装置。
【発明の詳細な説明】
【技術分野】
【０００１】
本発明は、磁気と遠赤外線効果により、筋肉のこり、痛み、疲労等を低減するとともに、血流を促進させ内臓の活性化を図ることができる磁気治療器に関する。
【背景技術】
【０００２】
この種の磁気治療器としては、単一の粒状磁石を粘着テープに貼って人体に貼り付けるものが広く知られているが、この磁気治療器では磁気による作用効果しか得られず、そこで従来、血流を促進させる効果がある遠赤外線放射体の中央部に永久磁石を埋め込んだ磁気治療器が特許文献１により提案されている。
【特許文献１】登録実用新案第３０００１２２号
【発明の開示】
【発明が解決しようとする課題】
【０００３】
しかしながら、上記特許文献１の図１〜図１０の実施例においては、遠赤外線放射体２の中央部にテーパ部７を設けカバー４で永久磁石３を固定する必要があり、構造が複雑であるとともに製造コストが増大するという問題を有している。また、図１１、図１２の実施例においては、永久磁石３を遠赤外線放射体２の内部にインサート成形しているために、磁気効果が弱くなるという問題を有し、さらに、図１３〜図１５の実施例においては、遠赤外線放射体２をドーナツ状に成形したのち圧入や接着により永久磁石３を固定しているが、微粒の永久磁石３の固定作業が極めて困難で、量産化に不適であるという問題を有している。
【０００４】
本発明は、上記従来の問題を解決するものであって、構造および製造方法が簡単な、かつ量産化に最適の遠赤外線を放射する磁気治療器およびその製造装置を提供することを目的とする。
【課題を解決するための手段】
【０００５】
上記目的を達成するために、本発明の請求項１記載の遠赤外線を放射する磁気治療器は、略円盤状に形成された遠赤外線放射体と、この遠赤外線放射体の中央部に埋め込まれた永久磁石とからなり、前記永久磁石の一方の面は外部に露出し、他方の面は遠赤外線放射体の薄層で被覆されるように構成され、前記一方の面を粘着テープに接着固定し、前記他方の面を人体に貼り付けることを特徴とする。
【０００６】
また、請求項２記載の遠赤外線を放射する磁気治療器の製造装置は、遠赤外線放射体の内部に永久磁石が埋め込まれた磁気治療器を製造する製造装置であって、円筒シリンダ状の雌型治具が形成された成形台と、前記雌型治具内に摺動自在に嵌合されたピストンと、ピストンの中央部に埋設された永久磁石と、前記雌型治具内に磁気治療器の永久磁石を供給する磁石供給装置と、前記雌型治具内に遠赤外線放射体の材料を充填する材料充填装置と、前記雌型治具の上方に対向して摺動自在に配置された雄型治具とを備えたことを特徴とする。
【０００７】
また、請求項３記載の製造装置は、雌型治具内のピストン上に磁気治療器の永久磁石を位置決めする工程と、雌型治具内に遠赤外線放射体の材料を充填する工程と、雄型治具を下降させて雌型治具に嵌合させ前記材料を圧縮成型する工程と、ピストンを上昇させ圧縮された成型物を取り外し焼成炉に搬送する工程とを備えることを特徴とする。
【発明の効果】
【０００８】
以上の説明から明らかなように本発明の磁気治療器によれば、簡単な構造で磁気効果と遠赤外線効果の両方を高めることができるとともに、金属アレルギーを防ぐことができる。また、本発明の磁気治療器の製造装置によれば、製造コストを低減し、量産化に最適の装置を提供することができる。
【発明を実施するための最良の形態】
【０００９】
以下、本発明の実施の形態を図面を参照しつつ説明する。図１は、本発明の遠赤外線を放射する磁気治療器の１実施形態を示し、図（Ａ）は平面図、図（Ｂ）は断面図である。
【００１０】
磁気治療器１は、略円盤状で一方の面が平面形状で他方の面が曲面（凸状の）形状に形成された遠赤外線放射体２と、この遠赤外線放射体２の中央部に埋め込まれた円柱状の永久磁石３からなり、永久磁石３の一方の面３ａは外部に露出し、他方の面３ｂは遠赤外線放射体２の薄層で被覆されるように構成されている。そして、粘着テープ等に磁気治療器１の一方の面３ａを接着固定し、他方の面３ｂを人体に貼り付ける。これにより皮膚に直接、磁石が接触することがなく、金属アレルギーを防ぐことができる。
【００１１】
遠赤外線放射体２の好ましい寸法は、外径が６ｍｍ程度、厚み３ｍｍ程度、永久磁石３の外径は２ｍｍ程度、厚み２ｍｍ程度であるが、必ずしもこの数値に限定されるものではない。また、永久磁石３の他方の面３ｂの遠赤外線放射体２の層厚は可能な限り薄くする。永久磁石３としては、ネオジウム磁石、フェライト磁石等の希土類磁石、マンガンアルミ磁石等を採用する。
【００１２】
遠赤外線放射体２は、本出願人が提案している特開２００２−３８３７０に記載の材料を用いる。すなわち、珪素（シリカ）を４５％以上６０％以下、アルミニウム（アルミナ）を１５％以上３０％以下、鉄を５％以上２０％以下、チタンを０．５％以上３％以下、マグネシウムを２％以上５％以下、カルシウムを２％以上１０％以下、ナトリウムとカリウムを合計で０．５％以上３％以下、それぞれ酸化物換算値として含有するように成分調整された原料粉末（又は顆粒状）を、該原料粉末の粒度に応じて水分１８％以上２４％以下に調整し、粒状に形成、乾燥したのち、８００℃以上１０５０℃以下の任意の温度で焼成することにより、吸水率を１０％以上３０％以下の任意の範囲内に調整して得られる焼結体で、前記焼結体の赤外線分光放射率が波長８ミクロンから１４ミクロンの範囲内において９７％以上であり、７ミクロンから１０ミクロンの間にピークを持つ。
【００１３】
このセラミックス焼結体の特徴としては、組成上から振動波長域を異にする複数の金属酸化物もしくは無機塩類、有機物などを適量含有することである。単一分子のみを主成分とする物質の場合の放射波長は当該分子の固有振動に基づく波長が主体的となり、黒体放射に比べて放射効率が低下する。物質から放射される遠赤外線の波長分布は当該物質の組成と温度ならびに構造によって決まるが、室温あるいは体温付近のいわゆる常温域では、７ミクロンから１４ミクロン、特に８から１０ミクロンの遠赤外線が放射の主体となる。この波長域に同調する分子振動を有する代表的な物質は酸化珪素（シリカ）、酸化アルミニウム（アルミナ）、酸化ジルコニウム（ジルコニア）、酸化鉄などであり、これらの中でも酸化アルミニウムと酸化鉄がとくに有効である。
【００１４】
物質の構造と遠赤外線の放射機能との関係については、結晶性が高いほど放射波長のピーク性が高まり、多孔質になるほどピーク幅が広がり、また表面は平滑なほど放射の方位性が高まる。したがって、有効な８ミクロンから１４ミクロンを含む広い波長範囲にわたって高い放射率を有し、常温域においては９から１０ミクロン付近に最大放射ピークをもち、かつ表面からあらゆる方向へ満遍なく遠赤外線を放射する材料としては、シリカ、アルミナの適量を主成分として含有し、かつ多孔質に成形固化されたものが最適である。成形固化の方法としては無機質あるいは有機質のバインダーで所要成分を混合固化する方法と、成形後に高温で焼結してセラミックスにする方法とがある。長期間安定的に使用するためには高温で焼結するのがよい。焼結温度が高すぎると部分溶融が進み、内部の気孔が消滅するので放射機能が低下するので過度の高温焼結は避けるべきである。
【００１５】
図２は、図１の遠赤外線を放射する磁気治療器の製造装置の１実施形態を示す模式図である。成形台４には円筒シリンダ状の雌型治具５が形成され、雌型治具５内にはロッド６に連結されたピストン７が図示矢印方向に摺動自在に嵌合されている。そして、ピストン７の中央部には、ピストン表面と面一になるように永久磁石９が設けられている。成形台４の上面には材料充填装置１０が図示矢印方向に摺動自在に載置され、また、成形台４の上方には、磁石供給装置１１が図示矢印方向に摺動自在に配設されている。さらに、雌型治具５の上方に対向するように、ロッド１２に連結された雄型治具１３が図示矢印方向に摺動自在に配置されている。雄型治具１３の押圧面は図１に示す遠赤外線放射体２の上面に曲面が形成されるような曲面形状にされている。
【００１６】
なお、永久磁石９は、ピストン７内に埋設してもよく、また、永久磁石９の表面をピストン７の表面から低い位置にし、ピストン７の中央部表面に陥没部ができるようにすれば、登録実用新案第３０００１２２号に示す、遠赤外線放射体２から永久磁石３の一方の面３ａを突出させる形状のものを製造することができる。
【００１７】
図３は本発明の製造工程を説明するための図である。先ず、図（Ａ）に示すように、磁石供給装置１１から雌型治具５内に１個の永久磁石３を供給すると、永久磁石３はピストン７に埋め込まれた永久磁石９に吸着され、永久磁石３がピストン７の中央上に位置決めされる。次に、磁石供給装置１１を退避させた後、図（Ｂ）に示すように、材料充填装置１０を雌型治具５の上部に移動させ、赤外線放射材料２ａを雌型治具５内に充填する。
【００１８】
次に、材料充填装置１０を退避させた後、図（Ｃ）に示すように、ロッド１２を降下させて雄型治具１３を雌型治具５に嵌合させ、赤外線放射材料２ａを図１の形状となるように圧縮成型する。次に雄型治具１３を上昇退避させた後、ピストン７を上昇させ、永久磁石３入りの圧縮成型物２ｂを雌型治具５の外部に搬出する。そして、この圧縮成型物２ｂをピストン７から取り外し、焼成炉に搬送し焼成炉で８００℃の温度で焼成してセラミックスとし、図１に示す磁気治療器１を製造する。以後、この工程を繰り返す。
【００１９】
以上、本発明の実施の形態について説明したが、本発明はこれに限定されるものではなく、種々の変更が可能である。例えば上記実施形態においては、永久磁石３を円柱状としているが、球、楕円形状でもよい。また、遠赤外線放射体２の形状も、ピストン７および雄型治具１３の形状を変えることにより、任意である。
【図面の簡単な説明】
【００２０】
【図１】本発明の遠赤外線を放射する磁気治療器の１実施形態示し、図（Ａ）は平面図、図（Ｂ）は断面図である。
【図２】本発明の遠赤外線を放射する磁気治療器の製造装置の１実施形態を示す模式図である。
【図３】本発明における製造工程を説明するための図である。
【符号の説明】
【００２１】
１…磁気治療器、２…遠赤外線放射体、３…磁気治療器の永久磁石
３ａ…一方の面、３ｂ…他方の面、４…成形台、５…雌型治具、７…ピストン
９…ピストン側の永久磁石、１０…材料充填装置、１１…磁石供給装置
１３…雄型治具
【図１】
2005027922.tif 000003
【図２】
2005027922.tif 000004
【図３】
2005027922.tif 000005